(57)【要約】【課題】店舗の販売員でも開閉扉を容易に着脱することができる商品陳列什器、および、この商品陳列什器に取り付けられる開閉扉持ち上がり防止装置を提供する。【解決手段】上ガイドレール１０に沿って左右方向に走行可能なフック部材５０を有し、開閉扉３ａ、３ｂがフック部材５０に吊り下げる態様で取り付けられる商品陳列什器１であって、開閉扉３ａ。３ｂが持ち上がるのを規制するストッパー９２が上下方向に移動可能に設けられ、フック部材５０または開閉扉３ａ、３ｂのいずれか一方に一体に取り付けられる開閉扉持ち上がり防止装置８０を備えている。【選択図】図１４
2019083989.tif 000002
【特許請求の範囲】
【請求項１】
上ガイドレールに沿って左右方向に走行可能なフック部材を有し、開閉扉が前記フック部材に吊り下げる態様で取り付けられる商品陳列什器であって、
前記開閉扉が持ち上がるのを規制するストッパーが上下方向に移動可能に設けられ、前記フック部材または前記開閉扉のいずれかに一体に取り付けられる開閉扉持ち上がり防止装置を備えたことを特徴とする商品陳列什器。
【請求項２】
前記開閉扉持ち上がり防止装置の上下方向の寸法を、前記開閉扉が開閉する左右方向の寸法よりも小さくしたことを特徴とする請求項１に記載の商品陳列什器。
【請求項３】
前記ストッパーは、前記フック部材と前記開閉扉との間に設けられた取付用スペースに向けて上下方向に移動することを特徴とする請求項１または請求項２に記載の商品陳列什器。
【請求項４】
回転軸を有し、前記ストッパーが前記回転軸を中心に回動しながら上下方向に移動するように構成したことを特徴とする請求項１から請求項３のいずれか１つに記載の商品陳列什器。
【請求項５】
前記開閉扉持ち上がり防止装置は、前記開閉扉が開閉する左右方向に延びるラックと、前記ラックと噛合して前記回転軸を中心に回転しながら左右方向へ移動するピニオンとを有し、前記ストッパーを前記ピニオンに取り付けて、前記ストッパーが前記ピニオンと共に回動しながら上下および左右方向に移動するように構成したことを特徴とする請求項４に記載の商品陳列什器。
【請求項６】
前記開閉扉持ち上がり防止装置の手前側に位置する表出面を前記フック部材または前記開閉扉から表出させ、前記回転軸の左右方向の位置を前記表出面から目視可能に構成したことを特徴とする請求項５に記載の商品陳列什器。
【請求項７】
上ガイドレールに沿って開閉方向に走行可能なフック部材を有し、開閉扉が前記フック部材に吊り下げる態様で取り付けられる商品陳列什器に取り付けられる開閉扉持ち上がり防止装置であって、
前記開閉扉が開閉する左右方向に延びるラックと、前記ラックと噛合して回転軸を中心に回転しながら左右方向へ移動するピニオンとを有し、前記開閉扉が持ち上がるのを規制するストッパーを前記ピニオンに取り付けて、前記ストッパーが前記ピニオンと共に回動しながら上下および左右方向に移動するように構成したことを特徴とする開閉扉持ち上がり防止装置。
【請求項８】
手前側に位置する表出面を有し、前記回転軸の左右方向の位置を前記表出面から目視可能に構成したことを特徴とする請求項７に記載の開閉扉持ち上がり防止装置。
【請求項９】
前記ラックに形成された歯底を浅くして形成したことを特徴とする請求項７または請求項８に記載の開閉扉持ち上がり防止装置。
【発明の詳細な説明】
【技術分野】
【０００１】
本発明は、吊り下げられる開閉扉の脱落を防止するための開閉扉持ち上がり防止装置および開閉扉持ち上がり防止装置を備えた商品陳列什器に関する。
【背景技術】
【０００２】
スーパーマーケットやコンビニエンスストアなどの食品店舗では、商品（食品）を陳列して販売するための食品陳列什器（商品陳列什器、商品陳列棚）が使用されている。この食品陳列什器は、その前面が硝子で構成された引き戸タイプの開閉扉によって覆われており、利用者がこの開閉扉を開けて商品を取り出すことができるようになっている（例えば、特許文献１、２参照）。
【０００３】
この開閉扉は、開閉扉を清掃する際に、陳列什器本体から容易に着脱できる構造が好ましい。また、タイムセールなどの繁忙時には、開閉扉を敢えて外しておき、終了後に再度取り付けるような使用態様も考えられる。この開閉扉を容易に着脱できる技術としては、商品陳列什器ではない一般的な開閉扉の技術ではあるが、例えば特許文献３のようなものがある。この技術では、開閉扉の上辺部にこの開閉扉を吊り下げるためのフックを設け、スライドレールに沿って開閉方向へ走行する連結部材にこのフックを引っ掛けるだけで、開閉扉を吊り下げて容易に取り付けることができるようになっている。
なお、商品陳列什器では、上述したフックを引っ掛けて開閉扉を取り付ける構造のものは今までに実施されていない。
【０００４】
一方、フックを引っ掛けて取り付ける構造では、利用者が開閉するときに開閉扉を誤って持ち上げてしまい、フックが外れてしまうおそれがある。そのため、上述した特許文献３の技術では、開閉扉を吊り下げた状態でフックと連結部材との間に生じる上下方向の隙間（フックを引っ掛けるときに必要になるスペース）を埋めて、開閉扉が持ち上がらないようにするための脱落防止部材が別部材として取り付けられている。
【先行技術文献】
【特許文献】
【０００５】
【特許文献１】特開２００８−２０６６４０号公報
【特許文献２】特開２００９−１３１４３５号公報
【特許文献３】特開２００１−４０９３０号公報
【発明の概要】
【発明が解決しようとする課題】
【０００６】
しかしながら、特許文献３の技術では、脱落防止部材が開閉扉や連結部材とは別部材として構成されているため、脱落防止部材を単体で取り外さなければならない。そのため、構造を理解していない店舗の販売員では、脱落防止部材を取り外す作業が繁雑であり、短時間で容易に着脱することができない。また、仮に取り外せたとしても、構造に不慣れな販売員では、脱落防止部材の取り付け忘れなどの作業ミスを引き起こすおそれがあった。
【０００７】
また、特許文献３の脱落防止部材は、単体でねじ止めによって取り付けられているため、このねじを着脱する工具を使用するための作業スペースを広く確保する必要がある。しかしながら、より小型化が求められる商品陳列什器では、そのようなスペースを確保することが困難である。
【０００８】
さらに、特許文献３の脱落防止部材は、開閉扉を正面から見てその裏側に取り付けられ、正面から見えない位置にあるので、この着脱構造を十分に理解した作業者でなければ脱落防止部材の取り外しが困難である。そのため、店舗の販売員が開閉扉を容易に取り外せる構造ではない。
【０００９】
本発明は、上述した事情を鑑みてなされたものであり、その目的は、店舗の販売員でも開閉扉を容易に着脱することができる商品陳列什器、および、この商品陳列什器に取り付けられる開閉扉持ち上がり防止装置を提供するためのものである。
【課題を解決するための手段】
【００１０】
上述課題を解決するため、本発明は、上ガイドレールに沿って左右方向に走行可能なフック部材を有し、開閉扉が前記フック部材に吊り下げる態様で取り付けられる商品陳列什器であって、前記開閉扉が持ち上がるのを規制するストッパーが上下方向に移動可能に設けられ、前記フック部材または前記開閉扉のいずれかに一体に取り付けられる開閉扉持ち上がり防止装置を備えたことを特徴とする。
【００１１】
また、前記開閉扉持ち上がり防止装置の上下方向の寸法を、前記開閉扉が開閉する左右方向の寸法よりも小さくしている。
【００１２】
さらに、前記ストッパーは、前記フック部材と前記開閉扉との間に設けられた取付用スペースに向けて上下方向に移動するようにしてもよい。
【００１３】
また、回転軸を有し、前記ストッパーが前記回転軸を中心に回動しながら上下方向に移動するように構成することもできる。
【００１４】
さらに、前記開閉扉持ち上がり防止装置は、前記開閉扉が開閉する左右方向に延びるラックと、前記ラックと噛合して前記回転軸を中心に回転しながら左右方向へ移動するピニオンとを有し、前記ストッパーを前記ピニオンに取り付けて、前記ストッパーが前記ピニオンと共に回動しながら上下および左右方向に移動するように構成してもよい。
【００１５】
さらにまた、前記開閉扉持ち上がり防止装置の手前側に位置する表出面を前記フック部材または前記開閉扉から表出させ、前記回転軸の左右方向の位置を前記表出面から目視可能に構成することもできる。
【００１６】
一方、本発明は、上ガイドレールに沿って開閉方向に走行可能なフック部材を有し、開閉扉が前記フック部材に吊り下げる態様で取り付けられる商品陳列什器に取り付けられる開閉扉持ち上がり防止装置であって、前記開閉扉が開閉する左右方向に延びるラックと、前記ラックと噛合して回転軸を中心に回転しながら左右方向へ移動するピニオンとを有し、前記開閉扉が持ち上がるのを規制するストッパーを前記ピニオンに取り付けて、前記ストッパーが前記ピニオンと共に回動しながら上下および左右方向に移動するように構成したことを特徴とする。
【００１７】
また、前記開閉扉持ち上がり防止装置の手前側に位置する表出面を有し、前記回転軸の左右方向の位置を前記表出面から目視可能に構成してもよい。
【００１８】
さらにまた、前記ラックに形成された歯底を浅くして形成することもできる。
【発明の効果】
【００１９】
本発明に係る商品陳列什器では、前記フック部材または前記開閉扉のいずれかに一体に取り付けられる開閉扉持ち上がり防止装置を設けているので、別体で着脱するように構成されている脱落防止部材と比較して、取り外しの煩雑さがなく、取り付け忘れなどの作業ミスを引き起こすこともなくなる。そのため、構造に不慣れな店舗の販売員であっても、従来に比べて容易にロックを解除して開閉扉を着脱することができる。
また、脱落防止部材を別体で着脱するための作業スペースを必要としないので、商品陳列什器をより小さく構成することができる。
【図面の簡単な説明】
【００２０】
【図１】本発明の実施の形態に係る傾斜扉を有する食品陳列什器の全体を示す斜視図である。
【図２】図１のＡ−Ａ断面図である。
【図３】図２の状態から傾斜扉を取り外した状態を示す断面図である。
【図４】図１のＺ部の拡大図であって、化粧カバーを取り外した状態を示している。
【図５】上部ガイドレールの部分を拡大して示す断面図である。
【図６】図３のＹ部の拡大図である。
【図７】図２のＸ部の拡大図である。
【図８】扉体係合体にフック取付部材が取り付けられた状態を示す正面図である。
【図９】図８の平面図である。
【図１０】クローザーを単体で斜め下側から見た斜視図である。
【図１１】フック部材に開閉扉持ち上がり防止装置が取り付けられた状態を正面側から見た斜視図である。
【図１２】図１１の分解斜視図である。
【図１３】図１２を後側から見た分解斜視図である。
【図１４】図１１の状態に、開閉扉を吊り下げてロックした状態を示す斜視図である。
【図１５】開閉扉持ち上がり防止装置を単体で示す図であって、（Ａ）は左斜め上側から見た斜視図、（Ｂ）は左斜め下側から見た斜視図である。
【図１６】開閉扉持ち上がり防止装置の分解斜視図である。
【図１７】開閉扉持ち上がり防止装置の単体図であって、（Ａ）は動作後の正面図、（Ｂ）は（Ａ）動作前の状態を示す正面図である。
【図１８】（Ａ）および（Ｂ）は、図１７（Ａ）および図１７（Ｂ）からフロントカバーを取り外した状態を示す正面図である。
【図１９】図１４の側面図であって、（Ａ）は動作後、（Ｂ）は動作前の状態を示す。
【図２０】フロントカバーの角穴部分の拡大図であって、（Ａ）は動作後、（Ｂ）は動作前の状態を示す。
【図２１】本発明の変形例であって、（Ａ）は開閉扉持ち上がり防止装置のフロントカバーを外した状態の正面図、（Ｂ）は（Ａ）のＷ部の拡大図である。
【図２２】本発明の変形例であって、開閉扉持ち上がり防止装置の動作途中の状態を示す正面図である。
【発明を実施するための最良の形態】
【００２１】
以下、本発明の実施の形態に係る食品陳列什器１（商品陳列什器）および開閉扉持ち上がり防止装置８０について、図面を用いて詳細に説明する。
図１は、傾斜扉を有する食品陳列什器１の全体を示す斜視図である。また、図２は、図１のＡ−Ａ断面図、図３は、図２の状態から傾斜扉３ａ、３ｂを取り外した状態を示す断面図である。さらに、図４は、図１のＺ部の拡大図、図５は、上部ガイドレール１０の部分を拡大して示す断面図、図６は、図３のＹ部の拡大図、図７は、図２のＸ部の拡大図である。
なお、本実施の形態で使用する前後、左右、上下方向とは、図１で示す方向をいうものとする。また、開閉扉の開閉方向とは、左右方向をいうものとする。
【００２２】
食品陳列什器１は、図１〜図３に示すように、食品陳列什器本体２の前側に傾斜した開口部が設けられており、この開口部を覆うようにして２枚の傾斜扉３（図１の右側に位置する前側扉３ａ、左側に位置する後側扉３ｂ）が取り付けられている。より詳細には、食品陳列什器本体２の前側部分は、下側から上側に向かうに従い、後側へ斜めに傾斜するように形成されており、この傾斜面が開口している。また、傾斜扉３も同様に、食品陳列什器本体２に取り付けられた状態で、傾斜扉３の上側が下側よりも後側に位置するように傾斜した状態になる。
なお、これらの前側扉３ａおよび後側扉３ｂは、いわゆる引き戸タイプの扉であり、左右方向に移動させることでそれぞれ開閉できるようになっている。また、この傾斜扉３はガラスなどの透明な材質で平板状に形成されており、閉じた状態で食品陳列什器本体２の内部が見えるようになっている。
【００２３】
食品陳列什器本体２の内部には、商品を陳列するための棚部４ａ、４ｂが設けられている。この下側の棚部４ａは、上側の棚部４ｂよりも手前側まで延びており、下側の棚部４ａの棚面積を広く確保している。これにより、上側の棚部４ｂに邪魔されることなく、下側の棚部４ａに陳列される商品を出し入れし易くしている。
【００２４】
また、食品陳列什器本体２の天井部５には、図１および図４に示すように、天井部５の前側に、傾斜扉３の上部を支持するための上部ガイドレール１０が取り付けられている。この上部ガイドレール１０は、食品陳列什器１の左右方向の全長に亘って設けられており、この上部ガイドレール１０に沿って傾斜扉３が左右方向に移動する。
【００２５】
上部ガイドレール１０は、図５および図６に示すように、下側が開口する断面略コ字形状のガイドレール本体１１と、このガイドレール本体１１から後側に向けて延びる取付突部１１ａと、このガイドレール本体１１から前側に向けて延びる化粧カバー固定用突部１１ｂとで構成されている。
【００２６】
ガイドレール本体１１には、断面略コ字形状の内側に向けて略水平に延びる下レール１２および上レール１３が設けられている。
下レール１２は、ガイドレール本体１１の後側面部１１ｃおよび前側面部１１ｄのそれぞれの下端からガイドレール本体１１の内側に向けて延びており、これらの先端部同士が離間するように隙間が設けられている。
【００２７】
上レール１３は、下レール１２の上側を覆うようにして、ガイドレール本体１１の後側面部１１ｃおよび前側面部１１ｄのそれぞれの上下方向のほぼ中央の位置から内側に向けて延びており、下レール１２と同様に、これらの先端部同士が離間するように隙間が設けられている。なお、下レール１２および上レール１３のそれぞれの隙間には、詳細は後述する扉体係合体３０、７０が挿入されるようになる。
【００２８】
下レール１２の上面には、下方向に円弧状に凹む態様で走行ローラー転動面１２ａが形成されている。一方、上レール１３の下面には、上方向に円弧状に凹む姿勢制御ローラー転動面１３ａが形成されている。
【００２９】
上レール１３の上側には、この上レール１３の上面によって略矩形状に画成されたクローザー取付部１４が設けられており、このクローザー取付部１４には、詳細は後述するクローザー６０が左右方向の所定の位置に取り付けられる。
【００３０】
取付突部１１ａは、図６に示すように、その下面が食品陳列什器本体２の天井部５の上面に重ねられ、上側からねじ（図示せず）を締結することによって上部ガイドレール１０が天井部５に固定される。また、化粧カバー２０は、その後端部に設けられたフック部２１ａが取付突部１１ａの受け部に引っ掛けられ、前側下部に設けられた係止部２１ｂが化粧カバー固定用突部１１ｂと係合することによって着脱自在に取り付けられる。
【００３１】
上部ガイドレール１０の内部には、扉体係合体３０、７０が上部ガイドレール１０の端部から挿入される。この扉体係合体３０は、傾斜扉３の前側扉３ａを下側に吊り下げるようにするためのものであり、扉体係合体７０は、傾斜扉３の後側扉３ｂを下側に吊り下げるようにするためのものである。これらの扉体係合体３０、７０は、詳細は後述する走行ローラー３４および姿勢制御ローラー３５が下レール１２および上レール１３の転動面を転動することによって、上部ガイドレール１０の左右方向に自由に移動できるようになっている。
【００３２】
この扉体係合体３０、７０は、詳細は後述する回転軸３５ａの前後方向の軸長さを異ならせ、姿勢制御ローラー３５の前後方向の取付位置を異ならせたものであり、使用される部材は全て同じである。より詳細には、図５および図６に示すように、前側の扉体係合体３０（上部ガイドレール１０の内部の前側を走行する）を水平方向に１８０度回転させ、姿勢制御ローラー３５の前後方向の位置を変更したものが後側の扉体係合体７０（上部ガイドレール１０の内部の後側を走行する）である。そのため、以下の説明では、前側の扉体係合体３０について説明し、姿勢制御ローラー３５の部分以外についての後側の扉体係合体７０の説明を省略する。また、扉体係合体３０、７０で使用される部品の機能は全て同じであるため、符号を同一にして説明する。
【００３３】
図８は、扉体係合体３０にフック取付部材４０が取り付けられた状態を示す正面図、図９は、図８の平面図である。なお、図８および図９で示す戸開側、戸閉側の方向は、前側扉３ａの開閉方向をいうものとする。
【００３４】
扉体係合体３０は、板金を略Ｌ字状に折り曲げた本体部３１を備えており、この本体部３１は、上下方向に延びる起立部３１ａと、前後方向に延びる水平部３１ｂとで構成されている。
【００３５】
起立部３１ａの左側には、上端部から上方向に突出する捕捉用突出片３２が設けられている。この捕捉用突出片３２の上端には、その外周を覆うようにしてゴム等の緩衝部材３３が取り付けられている。
【００３６】
また、起立部３１ａには、起立部３１ａの前後方向の前側に突出するように２つの回転軸３４ａが左右方向に間隔を空けて設けられている。これらの回転軸３４ａには、走行ローラー３４が起立した状態（上下方向を向いた状態）で回転自在に取り付けられている。これらの回転軸３４ａおよび走行ローラー３４は、上下方向における高さ位置が同じであり（図８参照）、前後方向における位置も同じに（図９参照）なるように取り付けられている。
【００３７】
さらに、起立部３１ａには、左右２つの走行ローラーの間に、起立部３１ａの前後方向の前側に突出する回転軸３５ａが設けられている。この回転軸３５ａには、姿勢制御ローラー３５が起立した状態で回転自在に取り付けられている。
【００３８】
この回転軸３５ａおよび姿勢制御ローラー３５は、図８に示すように、上下方向における高さ位置（垂直方向において、前側扉３ａの開閉方向と略直交する方向）が走行ローラー３４よりもＬ１寸法だけ高くなるようにずらして配置されている。また、この回転軸３５ａおよび姿勢制御ローラー３５は、図９に示すように、前後方向における位置（水平方向において、前側扉３ａの開閉方向と略直交する方向）が走行ローラー３４よりもＬ２寸法だけ後側に（図９参照）なるようにずらして配置されている。
【００３９】
ここで、後側の扉体係合体７０の姿勢制御ローラー３５は、図９で示す前後方向における位置が走行ローラー３４よりもＬ２寸法だけ後側になるようにずらして配置されている。すなわち、扉体係合体７０が上部ガイドレール１０内に組み込まれた状態では、姿勢制御ローラー３５は、前側の扉体係合体３０の姿勢制御ローラー３５と同様に、走行ローラー３４よりも後側に位置するようになる。
【００４０】
これらの走行ローラー３４および姿勢制御ローラー３５の外周形状は、図９に示すように、中央部が膨らんだ円弧状に形成されている。
【００４１】
また、走行ローラー３４および姿勢制御ローラー３５の直径は、下レール１２と上レール１３との間の上下方向における距離よりも小さく形成されている。より詳細には、下レール１２と上レール１３との間の距離は、走行ローラー３４および姿勢制御ローラー３５の直径に上述したＬ１寸法の長さを足した寸法になるようにしてある。
【００４２】
水平部３１ｂには、その下面から下方向に延びる取付ピン３６が取り付けられている。この取付ピン３６には、フック取り付け部材４０が着脱自在に取り付けられている。また、このフック取り付け部材４０は、図５および図６に示すように、フック部材５０が取り付けられる。
【００４３】
フック部材５０は、図１および図４に示すように、前側扉３ａの左右方向の長さとほぼ等しい長さを有している。また。フック部材５０は、図５および図６に示すように、その下側に断面が略Ｕ字状のフック５１が設けられている。さらに、このフック５１の先端部には、断面形状が円形の円柱部５２が形成されている。
【００４４】
一方、前側扉３ａの上部には、図６に示すように、扉取付部材６が設けられている。この扉取付部材６には、その上部に円柱部５２と係合する係合部６ａが形成されている。この係合部６ａは、円柱部５２の直径とほぼ等しい内径を有する円弧状に形成されている。このような構造により、係合部６ａを円柱部５２に嵌め込むようにして係合させた状態で、前側扉３ａを円柱部５２の周方向に回転することができ、図１および図３に示すように、食品陳列什器１の開口部の傾斜に合わせて前側扉３ａを傾斜した状態で取り付けることができる。また、前側扉３ａを円柱部５２の周方向に回転できるようにすることで、食品陳列什器１の開口部の傾斜角度が様々に異なる場合であっても、本構造で対応することができる。
【００４５】
このように、前側扉３ａは、上部ガイドレール１０を走行する扉体係合体３０に、フック取付部材４０、フック部材５０を介して、様々な角度に対応でき、傾斜した状態で吊り下げられて取り付けられることになる。
【００４６】
なお、傾斜扉３の下側部分には、図７に示すように、下側ローラー７が設けられている。この下側ローラー７は、棚部４ａの前側先端部に配置された下側ガイドレール８の転動面に斜めに置かれており、前側扉３ａを開閉させるときに下側ガイドレール８に沿って左右方向に自由に移動できるようになっている。
【００４７】
一方、食品陳列什器本体２側である上部ガイドレール１０のクローザー取付部１４には、図１０に示すクローザー６０が左右方向の所定の位置に取り付けられている。このクローザー６０には、略直方体形状の本体部６１の下側に、戸開側の端部から戸閉側へ向けて延びる係合体移動長穴６２が形成されている。この係合体移動長穴６２には、前側扉３ａの閉じ際で、上述した扉体係合体３０の捕捉用突出片３２が入り込み（図５および図６参照）、本体部６１内に設けられた係止体６３に係合・捕捉される。この係止体６３は、本体部６１内に設けられた引き込み用ばね部材（図示せず）や、緩衝用ダンパー（図示せず）によって捕捉用突出片３２をゆっくりと戸閉側へと強制的に引き込むように動作する。これにより、扉体係合体３０に吊り下げられた前側扉３ａが完全に閉じた位置まで強制的に移動するようになる。
【００４８】
なお、上述したクローザー６０は、開閉扉が略垂直に取り付けられる一般的な引き戸装置に用いられるものと同一のものである。このクローザー６０の内部構造や取付位置、機能・作用については既知の技術であるため、これらの詳細な説明については省略する。
【００４９】
図１１は、フック部材５０に開閉扉持ち上がり防止装置８０が取り付けられた状態を正面側から見た斜視図である。また、図１２は、図１１の分解斜視図、図１３は、図１２を後側から見た分解斜視図である。さらに、図１４は、図１１の状態に、開閉扉３を吊り下げて開閉扉３ａの持ち上がりを防止した状態を示す斜視図である。また、図１９は、図１４の側面図であって、（Ａ）は動作後、（Ｂ）は動作前の状態を示すものであり、図２０は、フロントカバー８３の角穴８４ａ部分の拡大図であって、（Ａ）は動作後、（Ｂ）は動作前の状態を示している。
【００５０】
なお、フック部材５０は、図６に示すように、前側扉３ａおよび後側扉３ｂを吊り下げるために前側と後側にそれぞれ取り付けられる。これらのフック部材５０は、前側と後側で同じ構造であるため、以下の説明では前側のフック部材５０について説明する。
【００５１】
フック部材５０の左右方向の長さは、開閉扉３ａの上辺部の長さとほぼ同じであり、この左右方向の長さの一部には、図１１に示すように、開閉扉持ち上がり防止装置８０が一体に取り付けられている。この開閉扉持ち上がり防止装置８０は、図１４に示すように、開閉扉３ａが吊り下げられた状態で、ストッパー９２をその下側に向けて突出させることで、開閉扉３が上側へ持ち上がらないようにするためのものである。
【００５２】
フック部材５０は、アルミニウム材を押し出し成形することで長尺に形成されている。また、フック部材５０は、図１１〜図１５に示すように、フック５１の上側部分が断面角形中空形状に形成されており、この角形中空形状の部分に開閉扉持ち上がり防止装置８０が取り付けられる。より詳細には、図１２および図１３に示すように、フック部材５０の角形中空部分には、その表面５０ａから裏面５０ｂまで貫通する取付穴５３が設けられており、この取付穴５３の後側から開閉扉持ち上がり防止装置８０が嵌め込むようにして取り付けられる。
【００５３】
この取付穴５３は、角形中空部の上面部５４が残るようにして開けられている一方、角形中空部の下面部５５が残らないようにして開けられている。これにより、取り付けられた開閉扉持ち上がり防止装置８０の下側は、図１１に示すように、フック５１の円柱部５２に臨むようになる。
【００５４】
フック部材５０の裏面５０ｂには、図１３に示すように、取付穴５３の左右両側にねじ穴５３ａが設けられている。開閉扉持ち上がり防止装置８０は、取付穴８２ｂに挿通されたねじ（図示せず）をねじ穴５３ａに螺合することで取り付けられる。
【００５５】
開閉扉持ち上がり防止装置８０が取り付けられた状態では、図１１に示すように、詳細は後述する開閉扉持ち上がり防止装置８０の表出面８４がフック部材５０の表面５０ａから露出している。すなわち、図５および図６に示すように、フック部材５０の表面５０ａは，食品陳列什器１の手前側から見えるようになっているので、この開閉扉持ち上がり防止装置８０の表出面８４についても手前側から見える位置に配置されることになる。
【００５６】
図１５は、開閉扉持ち上がり防止装置８０を単体で示す図であって、（Ａ）は左斜め上側から見た斜視図、（Ｂ）は左斜め下側から見た斜視図である。また、図１６は、開閉扉持ち上がり防止装置８０の分解斜視図である。さらに、図１７は、開閉扉持ち上がり防止装置８０の単体図であって、（Ａ）は動作後の正面図、（Ｂ）は（Ａ）動作前の状態を示す正面図、図１８（Ａ）および図１８（Ｂ）は、図１７（Ａ）および図１７（Ｂ）からフロントカバー８３を取り外した状態を示す正面図である。
【００５７】
開閉扉持ち上がり防止装置８０は、図１６に示すように、ベース部８１と、ベース部８１の前側に取り付けられるフロントカバー８３と、これらのベース部８１およびフロントカバー８３で画成される内部に組み付けられるピニオン９１、回転軸９３と、フロントカバー８３の前側に貼られる表示シール１００とで構成されている。
【００５８】
ベース部８１は、横長の略直方体形状に形成されている。このベース部８１の後側には、左右方向に突出するようにして延びる取付面部８２ａが設けられている。この取付面部８２ａの左右の位置には、取付穴８２ｂがそれぞれ形成されており、図１３に示すように、フック部材５０の裏面５０ｂのねじ穴５３ａにねじ（図示せず）によって取り付けられる。
【００５９】
また、取付面部８２ａには、図１３に示すように、左右方向に延在する角穴８２ｃが形成されている。この角穴８２ｃは、取付面部８２ａの外側からベース部８１の内部まで貫通する態様で開けられており、詳細は後述する回転軸９３の後側角状部９３ａが挿入される。
【００６０】
また、ベース部８１の略直方体形状の内側は、上述したピニオン９１および回転軸９３が組み付けられるための空間が形成されている。このベース部８１の空間の上側は、上壁部８１ｂによって仕切られている。一方、この空間の下側は仕切られておらず、外側に解放された状態になっている。
【００６１】
上壁部８１ｂは、開閉扉持ち上がり防止装置８０がフック部材５０に取り付けられる際に、図１２および図１３に示すように、フック部材５０の上面５４と接するようにして組み立てられる。これにより、開閉扉持ち上がり防止装置８０に上側へ持ち上げられる力が作用したとしても、この力を上面５４で受けることができるようにしている。
【００６２】
また、上壁部８１ｂには、図１６および図１８に示すように、ベース部８１の内部空間に向けて突出するラック９０が設けられている。このラック９０は、一般的なインボリュート歯形のものであり、開閉扉３ａの開閉方向に延在し、ラック歯が下側に向くようにして配置されている。
【００６３】
なお、これらのベース部８１、取付面部８２ａ、およびラック９０は、樹脂材料によって一体で成型されている。また、ラック９０を別体で構成し、ベース部８１とは別に交換可能に構成してもよい。
【００６４】
フロントカバー８３は、図１６に示すように、ベース部８１の前側の全体を覆うように横長に形成されている。このフロントカバー８３の上面８３ａは、図１５ａに示すように、フロントカバー８３をベース部８１に取り付けた状態で、上壁部８１ｂの上面と面一になるように形成されている。
【００６５】
フロントカバー８３の前側の面には、図１５〜図１７に示すように、表出面８４と、この表出面８４の左右の両側に段差面８５とが形成されている。この表出面８４は、左右の段差面８５に対して前側に位置するように段差状に形成されている。また、この表出面８４は、図１１および図１４に示すように、フック部材５０に開閉扉持ち上がり防止装置８０が組み付けられた状態で、表出面８４とフック部材５０の表面５０ａとが同一面となるようにほぼ面一になっている。これにより、表出面８４は、フック部材５０の表面５０ａから手前側に表出する。
【００６６】
また、表出面８４には、図１５〜図１７に示すように、左右方向に長尺な角穴８４ａが形成されており、この角穴８４ａが食品陳列什器１の手前側から目視できるようになっている。
【００６７】
左右の段差面８５には、ねじ穴８５ａがそれぞれ形成されている。このねじ穴８５ａは、図１６に示すように、ベース部８１に設けられた取付穴８１ａの位置に対応して配置されている。ベース部８１とフロントカバー８３は、取付ねじ８６を取付穴８１ａに挿通し、ねじ穴８５ａに螺合することで、着脱可能に取り付けられる。
【００６８】
ピニオン９１は、図１６および図１８に示すように、ラック９０の下側に配置され、ラック９０と噛合するように組み付けられる。また、ピニオン９１の回転中心には、軸挿通穴９１ａが前後方向に連通する態様で形成されている。この軸挿通穴９１ａに回転軸９３を組み付けた状態では、ピニオン９１は回転軸９３の外周面に沿って自由に回転することができるようになっている。
【００６９】
また、ピニオン９１の下側には、図１６に示すように、下方向に突出するストッパー９２が設けられている。また、ストッパー９２の右上部分には、右方向に向けて突出する爪部９２ａが形成されている。このストッパー９２の下面は、図１９（Ａ）に示すように、開閉扉３の係合部６ａの曲面形状に合わせて、円弧状に形成されている。開閉扉３は、上述したように傾斜した状態で取り付けられ、かつ、その角度も様々である。ストッパー９２の下面の円弧状の形状は、開閉扉３が様々な角度で取り付けられたとしても、係合部６ａを上から押さえることができるようにしたものである。
【００７０】
回転軸９３の後側端部には、角形状で後側に突出する後側角状部９３ａが形成されている。また、回転軸９３の前側端部には、同様の形状の前側角状部９３ｂが形成されている。この後側角状部９３ａは、取付面部８２ａの角穴８２ｃ（図１３参照）に挿入され、前側角状部９３ｂはフロントカバー８３の角穴８４ａに挿入される。回転軸９３は、これらの角穴８２ｃ、８４ａに挿入された状態で、回転することなく角穴８２ｃ、８４ａに沿って左右方向に移動できるように案内されている。これにより、回転軸９３は、ラック９０とピニオン９１が噛合したままの状態で、角穴８２ｃ、８４ａに沿って左右方向に移動できるようになっている。
【００７１】
回転軸９３は、図１７（Ａ）および図１８（Ａ）に示すように、前側角状部９３ｂが角穴８４ａの右側に位置する状態で、ストッパー９２がベース部８１の下側に突出するようにして組み付けられる。この状態では、図１９（Ａ）に示すように、ストッパー９２が開閉扉３ａの上端部の取付用スペースＳ（図１７（Ｂ）参照）に向けて下側に突出するようになるため、開閉扉３ａが上側に持ち上がらないようになる。
【００７２】
この状態から回転軸９３が角穴８４ａの左側に移動すると、図１７（Ｂ）および図１８（Ｂ）に示すように、ピニオン９１も時計回りに回転しながら左側に移動する。このとき、ストッパー９２も時計回りに回転して、ベース部８１の内部に収容されるとともに、爪部９２ａがベース部８１の下側に少しだけ突出するようになる。この状態では、図１９（Ｂ）に示すように、取付用スペースＳが解放され、開閉扉３ａを上側に持ち上げて、自由に着脱できるようになる。
【００７３】
また、フロントカバー８３の角穴８４ａの下側には、図１５〜図１７、特に図２０に示すように、表示シール１００が貼られている。この表示シール１００は、開閉扉持ち上がり防止装置８０の動作状態を表示するものである、詳細には、表示シール１００の右側部分１００ａには青色を表示し、前側角状部９３ｂがこの位置にあるときには開閉扉持ち上がり防止装置８０が持ち上がりを防止している状態（ロックした状態）であることを目視で確認できるようにしている。また、表示シール１００の左側部分１００ｂには赤色を表示し、前側角状部９３ｂがこの位置にあるときには開閉扉持ち上がり防止装置８０が解除されていることを目視で確認できるようにしている。
【００７４】
なお、表示シール１００の表示は、上述した色分けの他に、他の色で着色することもできる。また、色の代わりに文字（例えば、ＯＮ−ＯＦＦ、開−閉、Ｌｏｃｋ−Ｒｅｌｅａｓｅ、など）で表示するようにしてもよい。
【００７５】
上述した開閉扉持ち上がり防止装置８０は、ピニオン９１を左右方向に移動させる動作でストッパー９２を上下方向に移動させることを可能にした。この構造によって、開閉扉持ち上がり防止装置８０の全体の形状を、ピニオン９１が移動する方向である左右方向（開閉扉３ａ、３ｂの開閉方向）に長く形成し、上下方向の長さを左右方向と比較して短く形成することを実現した。これにより、開閉扉持ち上がり防止装置８０をフック部材５０に取り付ける設計において、フック部材５０の上下方向の寸法をより小さく抑えることができるようになった。
【００７６】
次に、本発明の実施の形態に係る食品陳列什器１および開閉扉持ち上がり防止装置８０の動作・作用について詳細に説明する。
食品陳列什器１を管理する店舗の販売員（以下、作業者という）は、開閉扉３ａ、３ｂを取り外すときに、開閉扉持ち上がり防止装置８０の機能を解除する。より詳細には、図１７（Ｂ）に示すように、前側角状部９３ｂが角穴８４ａの左側に位置することを目視で確認した後に、開閉扉３ａ、３ｂを上側に持ち上げるようにして取り外す（図６参照）。
【００７７】
この開閉扉持ち上がり防止装置８０の解除は、食品陳列什器１の手前側から開閉扉持ち上がり防止装置８０を見て、下側に突出しているストッパー９２を左方向に押すことで行う。このとき、棒状の治工具（例えば、ドライバーなど）をストッパー９２の右側の取付用スペースＳに差し込んで作業を行う。
【００７８】
ストッパー９２が左方向に押されたとき、開閉扉持ち上がり防止装置８０内部のピニオン９１は、ラック９０と噛合しながら角穴８２ｃ、８４ａに沿って左方向に移動する。ストッパー９２は、ピニオン９１の回転に伴って時計回りに上側へと移動してゆき、図１８（Ａ）および図１８（Ｂ）に示すように、ピニオン９１が約９０度回転したときにベース部８１の内部に収容される。これにより開閉扉持ち上がり防止装置８０が解除され、開閉扉３ａ、３ｂは、取付用スペースＳの分だけ上側に持ち上げることができるようになる。このとき、前側角状部９３ｂは、角穴８４ａの左側に位置するようになるので、作業者はこの左側に位置することを目視することで、解除されていることを容易に判別することができる。
【００７９】
一方、開閉扉３ａ、３ｂを取り付けるときには、上述した作業を逆に行う。すなわち、開閉扉３ａ、３ｂを吊り下げる態様で取り付けた後（図６参照）、開閉扉持ち上がり防止装置８０を用いて開閉扉３ａ、３ｂの持ち上がりを防止する。
【００８０】
その手順としては、作業者は、取付用スペースＳに棒状の治工具を差し込み、下側に突出している爪部９２ａを右側へ押す。開閉扉持ち上がり防止装置８０内部のピニオン９１は、ラック９０と噛合しながら角穴８２ｃ、８４ａに沿って右方向に移動する。ストッパー９２は、ピニオン９１の回転に伴って反時計回りに下側へと移動してゆき、図１８（Ａ）および図１８（Ｂ）に示すように、ピニオン９１が約９０度回転したときにベース部８１の下側に突出する。これにより動作が完了し、開閉扉３ａ、３ｂは、取付用スペースＳの分だけ上側に持ち上げることができないようになる。このとき、前側角状部９３ｂは、角穴８４ａの右側に位置するようになるので、作業者はこの右側に位置することを目視することで、持ち上がりが防止されていることを容易に判別することができる。
【００８１】
このように持ち上がりが防止された状態では、開閉扉３ａ、３ｂを開閉する際に持ち上げられたとしても、ストッパー９２が取付用スペースＳに向けて突出しているので、開閉扉３ａ、３ｂがストッパー９２に突き当たり構造的に持ち上がることがない。また、ストッパー９２は、ラック９０とピニオン９１の噛合によって、左側へ移動させる力が作用しない限り解除位置に戻らないので、いたずらなどで開閉扉３ａ、３ｂを故意に強く持ち上げようとしても解除されることがない。一方、ストッパー９２を上下方向にスライド移動させて突出させるような開閉扉持ち上がり防止装置では強い力が作用したときにストッパー９２がこの力で持ち上げられて解除されてしまうおそれがあるが、これと比較してより強い力が上下方向に作用したとしても、動作した状態を維持することができる。
【００８２】
また、強い力で開閉扉３ａ、３ｂを持ち上げられたときに、ストッパー９２にかかる負荷は、ラック９０とピニオン９１を介してベース部材８１に作用し、このベース部材８１の上壁部８１ｂと接するフック部材５０の上面部５４で受けるようになる。これにより、より強い力で上側に持ち上げられても、開閉扉持ち上がり防止装置８０自体が破損し難い構造になっている。
【００８３】
本発明の実施の形態に係る食品陳列什器１および開閉扉持ち上がり防止装置８０によれば、上ガイドレール１０に沿って左右方向に走行可能なフック部材５０を有し、開閉扉３ａ、３ｂがフック部材５０に吊り下げる態様で取り付けられる食品陳列什器１であって、開閉扉３ａ、３ｂが持ち上がるのを規制するストッパー９２が上下方向に移動可能に設けられ、フック部材５０に一体に取り付けられる開閉扉持ち上がり防止装置８０を備えているので、別体で着脱するように構成されている脱落防止部材と比較して、取り外しの煩雑さがなく、取り付け忘れなどの作業ミスを引き起こすこともなくなる。そのため、構造に不慣れな店舗の販売員であっても、従来に比べて容易にロックを解除して開閉扉３ａ、３ｂを着脱することができる。
また、脱落防止部材を別体で着脱するための作業スペースを必要としないので、食品陳列什器１をより小さく構成することができる。
【００８４】
また、開閉扉持ち上がり防止装置８０の上下方向の寸法を、開閉扉３ａ、３ｂが開閉する左右方向の寸法よりも小さくしているので、フック部材５０に開閉扉持ち上がり防止装置を取り付けるために、フック部材５０の上下方向の寸法を大きくする必要がなくなる。特に、食品陳列什器１では、硝子張りの面積が広い方が商品を見やすくなるので、フック部材５０の上下方向の寸法を小さく構成し、硝子面積を広く確保することができるのは非常に有用である。
【００８５】
さらに、ストッパー９２は、フック部材５０と開閉扉３ａ、３ｂとの間に設けられた取付用スペースＳに向けて上下方向に移動するようにしているので、ストッパー９２を移動させるだけで、容易に開閉扉３ａ、３ｂが持ち上がるのを防止することができる。
【００８６】
また、回転軸９３を有し、ストッパー９２が回転軸９３を中心に回動しながら上下方向に移動するように構成しているので、ストッパー９２を上下にスライド移動させる構造と比較して、ストッパー９２に上方向に強い力が作用しても、ストッパー９２が上に戻りロックが解除されることがない。そのため、いたずらなどで開閉扉３ａ、３ｂが持ち上げられたとしても、開閉扉３ａ、３ｂがロックされた状態を維持することができる。
【００８７】
さらに、開閉扉持ち上がり防止装置８０は、開閉扉３ａ、３ｂが開閉する左右方向に延びるラック９０と、ラック９０と噛合して回転軸９３を中心に回転しながら左右方向へ移動するピニオン９１とを有し、ストッパー９２をピニオン９１に取り付けて、ストッパー９２がピニオン９１と共に回動しながら上下および左右方向に移動するように構成しているので、ストッパー９２をただ回転して突出させる構造と比較して、上方向に作用するさらに強い力が作用しても、ストッパー９２が上に戻りロックが解除されることがないようにすることができる。そのため、いたずらなどで開閉扉３ａ、３ｂが持ち上げられたとしても、開閉扉３ａ、３ｂがロックされた状態を維持することができる。
【００８８】
さらにまた、開閉扉持ち上がり防止装置８０の手前側に位置する表出面８４をフック部材５０の表面５０ａから表出させ、回転軸９３の左右方向の位置を表出面８４から目視可能に構成しているので、ロック或いは解除する作業者は、この表出面８４を見ることで、開閉扉持ち上がり防止装置がロックされているか（解除されているか）を目視で確認することができる。そのため、構造に不慣れな販売員であっても容易に状態を確認できるため、ロックをし忘れるなどの作業ミスを発生し難くすることができる。
【００８９】
以上、本発明の実施の形態に係る食品陳列什器１について述べたが、本発明は既述の実施形態に限定されるものではなく、本発明の技術思想に基づいて各種の変形および変更が可能である。
【００９０】
例えば、本実施の形態では、開閉扉持ち上がり防止装置８０をフック部材５０側に取り付けて、ストッパー９２を下側に突出させるようにしているが、開閉扉持ち上がり防止装置８０を開閉扉３ａ、３ｂ側に設けるようにしてもよい。この場合、開閉扉持ち上がり防止装置８０のストッパー９２は、開閉扉３ａ、３ｂの上側に位置する取付用スペースＳに向けて突出するように構成する。この構成によっても、開閉扉持ち上がり防止装置８０を用いて開閉扉３ａ、３ｂが上側に持ち上がらないようにロックすることができる。
【００９１】
また、本実施の形態では、ラック９０の歯形を一般的なインボリュート歯形で構成しているが、その歯形の一部に以下の変更を加えて構成することもできる。
図２１は、本発明の変形例であって、（Ａ）は開閉扉持ち上がり防止装置１８０のフロントカバー８３を外した状態の正面図、（Ｂ）は（Ａ）のＷ部の拡大図である。また、図２２は、開閉扉持ち上がり防止装置１８０の動作途中の状態を示す正面図である。なお、本実施形態で説明した構造と同一の部材については、同一の符号を付すことによりその詳細な説明は省略する。
【００９２】
図２１で示す開閉扉持ち上がり防止装置１８０のラック１９０は、本実施形態で説明したラック９０の歯形を一部変形したものである。より詳細には、図２１（Ａ）、図２１（Ｂ）に示すように、ラック１９０の左右方向（開閉方向）の中央部分に位置するラック歯の歯底１９２を、インボリュート歯形で形成された他の歯底１９１よりも浅く形成している。
【００９３】
この構造によれば、図２２に示すように、ラック１９０と噛合するピニオン９１は、浅い歯底１９２の部分で下側に押し下げられ、回転軸９３の後側角状部９３ａおよび前側角状部９３ｂが角穴８２ｃ、８４ａの縁部と摺動するようになる。これにより、ピニオン９１が左右方向へ移動する動きが重くなる。すなわち、作業者が棒状の治工具を用いてストッパー９２（または爪部９２ａ）を左方向（または右方向）に押し込むときに、押し込む途中で動きが重くなる部分を通過することになる。
【００９４】
これにより、作業者は、この動作が重くなったことを体感することにより、開閉扉持ち上がり防止装置１８０が解除（または動作）したことを認識できるようになる。すなわち、作業者は、前側角状部９３ｂが角穴８４ａのどの位置にあるのかを目視で確認できるとともに、さらに、体感で開閉扉持ち上がり防止装置１８０の動作を確認することができる。
【００９５】
なお、図２１および図２２では、１つの歯底１９２を浅く形成しているが、隣り合う２つ（或いは２つ以上）の歯底を浅く形成してもよい。また、少し間を開けて位置する２つの歯底を浅く形成することもできる。
【符号の説明】
【００９６】
１  食品陳列什器（商品陳列什器）
２  食品陳列什器本体（陳列什器本体）
３  傾斜扉（開閉扉）
３ａ  前側扉
３ｂ  後側扉
４ａ、４ｂ  棚部
５  天井板
６  扉取付部材
６ａ  係合部
７  下側ローラー
８  下側ガイドレール
１０  上部ガイドレール
１１  ガイドレール本体
１１ａ  取付突部
１１ｂ  化粧カバー固定用突部
１２  下レール
１２ａ  走行ローラー転動面
１３ａ  姿勢制御ローラー転動面
１３  上レール
１４  クローザー取付部
２０  化粧カバー
２１ａ  フック部
２１ｂ  係止部
３０、７０  扉体係合体
３１  本体部
３１ａ  起立部
３１ｂ  水平部
３２  捕捉用突出片
３３  緩衝部材
３４  走行ローラー
３４ａ  回転軸
３５  姿勢制御ローラー
３５ａ  回転軸
３６  取付ピン
４０  フック取付部材
５０  フック部材
５０ａ  表面
５０ｂ  裏面
５１  フック
５２  円柱部
５３  ロック装置取付穴
５３ａねじ穴
５４  上面部
５５  下面部
６０  クローザー
６１  本体部
６２  係合体移動長穴
６３  係止体
８０、１８０  開閉扉持ち上がり防止装置
８１  ベース部
８１ａ  取付穴
８１ｂ  上壁部
８２ａ  取付面部
８２ｂ  取付穴
８２ｃ  角穴
８３  フロントカバー
８３ａ  上面
８４  表出面
８４ａ  角穴
８５  段差面
８５ａ  ねじ穴
８６  取付ねじ
９０、１９０  ラック
９１  ピニオン
９１ａ  軸挿通穴
９２  ストッパー
９２ａ  爪部
９３  回転軸
９３ａ  後側角状部
９３ｂ  前側角状部
１００  表示シール
１９２  ラックの歯底
Ｌ１  上下方向のずれ量
Ｌ２  前後方向のずれ量
Ｓ  取付用スペース
【図１】
2019083989.tif 000003
【図２】
2019083989.tif 000004
【図３】
2019083989.tif 000005
【図４】
2019083989.tif 000006
【図５】
2019083989.tif 000007
【図６】
2019083989.tif 000008
【図７】
2019083989.tif 000009
【図８】
2019083989.tif 000010
【図９】
2019083989.tif 000011
【図１０】
2019083989.tif 000012
【図１１】
2019083989.tif 000013
【図１２】
2019083989.tif 000014
【図１３】
2019083989.tif 000015
【図１４】
2019083989.tif 000016
【図１５】
2019083989.tif 000017
【図１６】
2019083989.tif 000018
【図１７】
2019083989.tif 000019
【図１８】
2019083989.tif 000020
【図１９】
2019083989.tif 000021
【図２０】
2019083989.tif 000022
【図２１】
2019083989.tif 000023
【図２２】
2019083989.tif 000024